(57)【要約】【課題】  植物が腐り難く、手間をかけずに植物を栽培することができる養液栽培用容器を提供する。【解決手段】  養液栽培用容器は、液体容器と、植物容器と、を備える養液栽培用容器であって、前記液体容器は、開口部を有する容器状の形状であり、前記植物容器は、前記液体容器の側方を取り囲む側壁部と、底壁部と、前記底壁部から前記液体容器の容器内に落ち込む取水部と、前記取水部に設けられた通水部と、を備え、前記通水部は、液体容器の底面よりも上方に配され、前記底壁部は、前記液体容器の上端よりも上方に配され、かつ、通気部を備える。【選択図】      図３
2013223472.tif 000002
【特許請求の範囲】
【請求項１】
液体容器と、植物容器と、を備える養液栽培用容器であって、
前記液体容器は、開口部を有する容器状の形状であり、
前記植物容器は、前記液体容器の側方を取り囲む側壁部と、底壁部と、前記底壁部から前記液体容器の容器内に落ち込む取水部と、前記取水部に設けられた通水部と、を備え、
前記通水部は、前記液体容器の底面よりも上方に配され、
前記底壁部は、前記液体容器の上端よりも上方に配され、かつ、通気部を備えていることを特徴とする養液栽培用容器。
【請求項２】
前記植物容器は、前記液体容器に培養液を供給する給水路を備えていることを特徴とする請求項１記載の養液栽培用容器。
【請求項３】
前記側壁部は、不透光部材により形成されていることを特徴とする請求項１または２記載の養液栽培用容器。
【請求項４】
前記側壁部は、前記液体容器を視認可能な窓部を備えていることを特徴とする請求項１、２または３記載の養液栽培用容器。
【請求項５】
前記植物容器は、前記植物容器を塞ぐ蓋部を備え、前記蓋部は上下方向に延伸する管状の植物設置部を有することを特徴とする請求項１、２、３または４記載の養液栽培用容器。
【請求項６】
液体容器と、植物容器と、を備える養液栽培用容器であって、
前記液体容器は、開口部を有する容器状の形状であり、
前記植物容器は、前記液体容器を内部に取り込む基礎体と、前記基礎体に支持される栽培容器と、から成り、
前記栽培容器は、側壁部と、底壁部と、前記底壁部から前記液体容器の容器内に落ち込む取水部と、前記取水部に設けられた通水部と、を備え、
前記通水部は、前記液体容器の底面よりも上方に配され、前記底壁部は、前記液体容器の上端よりも上方に配され、かつ、通気部を備えていることを特徴とする養液栽培容器。
【請求項７】
前記栽培容器は、前記基礎体により、水平方向に回動自在に支持されていることを特徴とする請求項６記載の養液栽培用容器。
【請求項８】
前記基礎体または前記栽培容器は、前記液体容器に培養液を供給する給水路を備えていることを特徴とする請求項６または７記載の養液栽培用容器。
【請求項９】
前記基礎体の側壁部または前記栽培容器の側壁部は、不透光部材により形成されていることを特徴とする請求項６、７または８記載の養液栽培用容器。
【請求項１０】
前記基礎体の側壁部または前記栽培容器の側壁部は、前記液体容器を視認可能な窓部を備えていることを特徴とする請求項６、７、８または９記載の養液栽培用容器。
【請求項１１】
前記栽培容器は、前記栽培容器を塞ぐ蓋部を備え、前記蓋部は上下方向に延伸する管状の植物設置部を有することを特徴とする請求項６、７、８、９または１０記載の養液栽培用容器。
【発明の詳細な説明】
【技術分野】
【０００１】
本発明は、養液栽培用の容器に関するものである。
【背景技術】
【０００２】
家庭において養液栽培を行うための用具として、図８に示すような養液栽培用の容器が提供されている。この容器は、培養液１１１を収容する液体容器１０１と、培地１１２が充填され、かつ、植物１１３が植えられる植物容器１０２と、により構成されている。また、植物容器１０２は、脚部１０３と、底壁部１０４とを有している。脚部１０３および底壁部１０４には植物容器１０２に培養液１１１を取り込むための貫通孔１０５が設けられている。そして、培養液１１１は、貫通孔１０５を通して、培地１１２に浸透する。
【０００３】
この容器によると、液体容器１０１内の培養液１１１の水位が、植物容器１０２の底壁部１０４より下方にある場合には、培養液１１１が脚部１０３の貫通孔１０５を通して培地１１２に浸透する。また、この場合、底壁部１０４と培養液１１１との間に空気層が確保されるので、培地には、その表層側から空気が取り込まれるだけでなく、貫通孔を通じて空気層からも空気が取り込まれる。
【０００４】
しかしながら、液体容器１０１は、収容する培養液１１１の量を物理的に規制する手段を備えていないため、液体容器１０１に培養液１１１を補充する際に、培養液１１１を底壁部１０４より高い位置まで補充してしまうことが多々ある。この場合には、底壁部１０４と培養液１１１との間に空気層を確保することはできず、培地１１２に空気が十分に行き渡らなくなる。その結果、植物が枯れてしまうという問題があった。
【０００５】
また、時間の経過とともに、培養液１１１に藻が発生するので、養液栽培用容器の見栄えが悪くなり、また藻の除去に手間が掛かるという問題もあった。
さらに、液体容器１０１に培養液１１１を補充する場合には、植物容器１０２を液体容器１０１から取り外す必要があり、取り外す手間が掛かかるだけでなく、取り外した植物容器１０２から培養液１１１が垂れ落ち、周囲を汚してしまうという問題もあった。
【発明の概要】
【発明が解決しようとする課題】
【０００６】
そこで本発明は、植物が腐り難く、手間をかけずに植物を栽培することができる養液栽培用容器を提供することを目的とする。
【課題を解決するための手段】
【０００７】
本発明の養液栽培用容器は、液体容器と、植物容器と、を備える養液栽培用容器であって、前記液体容器は、開口部を有する容器状の形状であり、前記植物容器は、前記液体容器の側方を取り囲む側壁部と、底壁部と、前記底壁部から前記液体容器の容器内に落ち込む取水部と、前記取水部に設けられた通水部と、を備え、前記通水部は、液体容器の底面よりも上方に配され、前記底壁部は、前記液体容器の上端よりも上方に配され、かつ、通気部を備えていることを特徴とする。  
【０００８】
また、本発明の養液栽培用容器は、液体容器に培養液を供給するための給水路を植物容器に備えてもよい。
【０００９】
また、本発明の養液栽培用容器は、植物容器の側壁部を不透光部材により形成してもよい。
【００１０】
また、本発明の養液栽培用容器は、液体容器を視認できる窓部を植物容器の側壁部に備えてもよい。
【００１１】
また、本発明の養液栽培用容器は、植物容器を塞ぐ蓋部を備えるものであってもよい。蓋部は、上下方向に延伸する管状の植物設置部を有するものが好ましい。
【００１２】
本発明の養液栽培用容器は、液体容器と、植物容器と、を備える養液栽培用容器であって、液体容器は、開口部を有する容器状の形状であり、植物容器は、液体容器を内部に取り込む基礎体と、基礎体に支持される栽培容器と、から成り、栽培容器は、側壁部と、底壁部と、底壁部から液体容器の容器内に落ち込む取水部と、取水部に設けられた通水部と、を備え、通水部は、液体容器の底面よりも上方に配され、底壁部は、液体容器の上端よりも上方に配され、かつ、通気部を備えていることを特徴とする。
【００１３】
また、本発明の養液栽培用容器は、栽培容器が、基礎体により、水平方向に回動自在に支持されるものであってもよい。
【００１４】
また、本発明の養液栽培用容器は、基礎体または栽培容器が、液体容器に培養液を供給する給水路を備えるものであってもよい。
【００１５】
また、本発明の養液栽培用容器は、基礎体の側壁部または栽培容器の側壁部を、不透光部材により形成してもよい。
【００１６】
また、本発明の養液栽培用容器は、基礎体の側壁部または栽培容器の側壁部が、液体容器を視認可能な窓部を備えるものであってもよい。
【００１７】
また、本発明の養液栽培用容器は、栽培容器を塞ぐ蓋部を備えるものであってもよい。蓋部は、上下方向に延伸する管状の植物設置部を有するものが好ましい。
【発明の効果】
【００１８】
本発明の養液栽培用容器によると、植物容器の底壁部が液体容器の上端よりも上方に配されているので、たとえ液体容器に培養液を満たしたとしても、底壁部の下方に空気層が確実に確保され、その空気が植物容器の底壁部に設けた通気部を通して培地に取り込まれる。そのため、本発明の養液栽培用容器は、従来の容器に比べて植物の根が腐り難くなっている。
また、本発明の養液栽培用容器は、通水部が液体容器の底面より上方に配されているので、植物容器の培地に培養液を確実に取り込むことができる。
【００１９】
また、植物容器を基礎体と栽培容器とにより構成すると、植物容器が基礎体と栽培容器とに分離可能となる。
【００２０】
さらに、栽培容器が、基礎体により、水平方向に回動自在に支持される場合には、容器基礎体を固定したまま、栽培容器を水平方向に回動させることもできる。そのため、栽培容器の日光が当たる位置を栽培容器の回動により容易に変更することができる。
【００２１】
また、植物容器または基礎体もしくは栽培容器に給水路を設けると、液体容器を植物容器内または基礎体と栽培容器の内部に配置したまま給水路を通じて培養液を補充できる。そのため、培養液を補充する場合に、液体容器を植物容器または基礎体および栽培容器から取り外す必要はなく、手間をかけずに容易に培養液の補充作業を行うことができる。また、取り外した植物容器または栽培容器から培養液が落下するということもない。
【００２２】
また、植物容器の側壁部または基礎体の側壁部もしくは栽培容器の側壁部を不透光部材とすると、液体容器に光が当たらなくなるので、培養液に藻が発生しなくなる。
【００２３】
また、植物容器の側壁部または基礎体の側壁部もしくは栽培容器の側壁部に液体容器を視認可能な窓部を設けると、植物容器の側壁部または基礎体の側壁部もしくは栽培容器の側壁部に不透光部材を用いた場合であっても、液体容器内の培養液の量を容易にチェックすることができる。
【００２４】
また、植物容器または栽培容器に蓋部を備えると、スポンジ等の培地に植えられている植物を培地７１ごと千切って、植物設置部に挿入して、植物の栽培を行うことができる。そのため、スポンジ等の培地に植えられた苗（植物）等を、容易に容器に植え替えて、栽培することができる。
さらに、培地の培養液が蒸発しに難くなるので、培地の温度上昇が抑えられ、植物が枯れ難くなる。
【図面の簡単な説明】
【００２５】
【図１】本発明の養液栽培用容器の実施形態を示す平面図である。
【図２】本発明の養液栽培用容器の実施形態を示す右側面図である。
【図３】図１のＡ−Ａ線における断面図である。
【図４】（ａ）は蓋部を示す平面図である。（ｂ）は（ａ）のＢ−Ｂ線における断面図である。
【図５】本発明の養液栽培用容器の他の実施形態を示す断面図である。
【図６】本発明の養液栽培用容器の他の実施形態を示す右側面図である。
【図７】本発明の養液栽培用容器の他の実施形態を示す断面図である。
【図８】従来の養液栽培用容器を示す断面図である。
【発明を実施するための形態】
【００２６】
以下、本発明の実施形態について図面を参照しながら説明する。
本発明の養液栽培用容器は、図１〜図３に示すように、セパレート型の容器であって、液体容器１１と、植物容器２１と、により構成されている。
【００２７】
液体容器１１は、養液栽培用の培養液５１を収容する容器である。液体容器１１は、底壁部８１と、底壁部８１の周縁から上方に向かって設けられる筒状の側壁部８２と、により構成され、上部が開口する容器状の形状となっている。なお、液体容器１１に収容された培養液５１の量をチェックできるようにするため、側壁部８２は透明な素材で形成することが好ましい。
【００２８】
植物容器２１は、培地５２を充填し、植物Ｐを植えておく容器である。植物容器２１は、側壁部２２と、底壁部２３と、取水部２６と、給水路３１により構成されている。
【００２９】
植物容器２１の側壁部２２は、液体容器１１の側方を取り囲むように筒状に形成されている。ここで、側壁部２２の高さは、液体容器１１の高さより高くなっている。
【００３０】
植物容器２１の底壁部２３は、液体容器１１の上端より高い位置において、植物容器２１の側壁部２２の内側を塞ぐように設けられている。
【００３１】
植物容器２１の底壁部２３には、通気部２４が設けられている。本実施形態においては、通気部２４として、底壁部２３を上下に貫通する貫通孔が複数設けられている。なお、通気部２４は、底壁部２３の上下を通気する構成であればよく、底壁部２３の少なくとも一部をメッシュ形状とするものであってもよい。
【００３２】
取水部２６は、管状であって、植物容器２１の底壁部２３から液体容器１１の容器内に落ち込むように設けられている。ここで、取水部の２６の下端は、液体容器１１の底壁部８１よりも上方に位置するようにしてある。なお、取水部２６の下端面は、開口しているものであってもよい。
【００３３】
取水部２６には通水部２７が設けられている。本実施形態では、通水部２７として、取水部２６の下端面を上下に貫通する貫通孔が複数設けられている。なお、通水部２７は、取水部２６内に液体を取り入れられる構成であればよく、取水部２６の下端面や側面に開口を設けるものであってもよいし、取水部２６の下端面や側面の少なくとも一部をメッシュ形状とするものであってもよい。
【００３４】
給水路３１は、液体容器１１に培養液５１を補充するための水路である。本実施形態において、給水路３１は、植物容器２１の側壁部２２および底壁部２３の一部を水平方向の内側に窪ませることによって形成されている。ここで、給水路３１のうち、側壁部２２側の開口が給水口３２となり、他方の開口が排水口３３となる。排水口３３は、液体容器１１の開口部の上方に位置するように設けられている。
なお、給水路３１は、植物容器２１に設けられ、かつ、液体容器１１の開口部の上方に一端が位置する管路であってもよい。
【００３５】
以上に説明した本発明の養液栽培用容器は、液体容器１１と植物容器２１とを固定するための固定手段４２を備えるものであってもよい。例えば、固定手段４２として、図３に示すように、液体容器１１の側壁部８２の外側に、植物容器２１の側壁部２２が挿入可能なL型の受け部を設けることができる。このようにすると、液体容器１１を保持すれば、液体容器１１と植物容器２１とを一体的に移動させることができるので、養液栽培用容器の移動が容易となる。
また、養液栽培用容器は、植物容器２１の底壁部２３の下方に、液体容器１１の側壁部８２の内側に沿って突出する突出部４３を設けるものであってもよい。これによると、液体容器１１の外側に培養液５１が流出するのを防止することができる。
液体容器１１および植物容器２１の各構成の素材は、特に限定されるものではないが、養液栽培用容器の軽量化や耐久性の観点からは、樹脂が好ましい。
【００３６】
次に養液栽培用容器の使用方法について説明する。まず、液体容器１１を所望の場所に設置する。次いで、植物容器２１を、その取水部２６を液体容器１１の容器内に挿入しながら、側壁部２２を固定手段４２に挿入する。これにより、植物容器２１の底壁部２３の下側の空間に液体容器１１が収容される。ここで、養液栽培に用いる培養液５１は、植物容器２１を設置する前にあらかじめ液体容器１１に入れておいてもよいし、液体容器１１と植物容器２１を設置した後、給水路３１から液体容器１１に注入してもよい。
そして、植物容器２１の容器内に、培地５２となるバーミキュライト、パーライト、ゼオライト、ピートモスその他養液栽培用の培地素材を適当に充填し、その培地５２に所望の植物Ｐを植えて栽培を行う。
液体容器１１の培養液５１は、植物容器２１の通水部２７を通じて植物容器２１内に取り入れられ、培養液５１の水圧および毛管現象により、培地５２全体に浸透する。液体容器１１内の培養液５１が少なくなった場合には、給水路３１より培養液５１を補充する。
【００３７】
以上の養液栽培用容器によると、植物容器２１の底壁部２３が液体容器１１の上端よりも上方に配されているので、たとえ液体容器１１に培養液５１を満たしたとしても、植物容器２１の底壁部２３の下方において空気層が確実に確保され、その空気が植物容器２１の底壁部２３に設けた通気部２４を通して、培地５２に適度に送り込まれる。そのため、従来の容器に比べて植物の根が腐り難くなっている。また、通水部２７が液体容器１１の底壁部８１より上方に配されているので、植物容器２１の培地５２に培養液５１を確実に取り込むことができる。
培養液５１を補充する場合には、液体容器１１を植物容器２１から取り出す必要はなく、液体容器１１を植物容器２１内に配置したまま給水路３１を通じて培養液５１を液体容器に補充できるので、手間をかけることなく容易に培養液５１の補充作業を行うことができる。また、取り外した植物容器２１から培養液５１が落下するということもない。
【００３８】
本発明の養液栽培用容器は、他の実施形態として、植物容器２１の側壁部２２に不透光部材を採用することができる。不透光部材としては、例えば、不透光性の樹脂や、透光性素材を塗料等でコーティングした部材等を用いることができる。
このようにすると、液体容器１１に光が当たらなくなるので、培養液５１に藻が発生しなくなる。
なお、必ずしも植物容器２１の側壁部２２全体に不透光部材を用いる必要はなく、例えば、底壁部２３の下方側のみを不透光部材とするものであってもよい。
【００３９】
また、本発明の養液栽培用容器は、植物容器２１の側壁部２２のうち底壁部２３の下側において、窓部４１を設けることができる。窓部４１は、スリットであってもよいし、側壁部２２の一部を透明の部材とするものであってもよい。このようにすると、植物容器２１の側壁部２２に不透光部材を用いた場合であっても、液体容器１１内の培養液５１の量を容易にチェックすることができる。
なお、窓部４１をスリットとする場合には、スリットを給水路３１の給水口３２と連続して形成してもよい。このようにすると、液体容器１１内の培養液５１の量がより一層確認しやすくなる。
【００４０】
また、本発明の養液栽培用容器は、図４および図５に示すように、蓋部６１を備えるものであってもよい。蓋部６１は、蓋本体６２と、蓋本体６２に設けられた凹状の複数の凹部６３と、蓋本体６２の上下方向に延伸する管状の植物設置部６４と、により構成される。蓋部６１は、例えば、樹脂により形成する。なお、蓋部６１は、不透光部材で構成してもよい。
蓋部６１は植物容器２１に充填された培地５２の上に設置する。そしてスポンジ等の培地７１に植えられている植物Ｐを培地７１ごと千切って、植物設置部６４に挿入して、植物の栽培を行う。蓋部６１の載置および取り外しは、複数の凹部６３を指で摘むことにより行う。
【００４１】
これによると、スポンジ等の培地７１に植えられた苗（植物）等を、容易に容器に植え替えて、栽培することができる。また、培地５２の培養液５１が蒸発しに難くなるので、培地５２の温度上昇が抑えられ、植物が枯れ難くなる。また、複数の凹部６３を設けたことにより、蓋部６１を容易に摘まむことができ、しかも蓋本体６２と培地５２との間に空気層が確保されるので、植物が枯れ難くなる。なお、蓋部６１に不透光部材を採用すれば、液体容器１１に対する遮光性がさらに向上する。
【００４２】
また、本発明の養液栽培用容器は、図６および図７に示すように、他の実施形態として、植物容器２１が、液体容器１１を内部に取り込む基礎体９１と、基礎体９１に支持される栽培容器１２１と、に分離するものであってもよい。
【００４３】
この場合、栽培容器１２１は、底壁部２３と、底壁部２３の周縁から上方に向かって設けられる筒状の側壁部１２２と、底壁部２３から液体容器１１の容器内に落ち込む取水部２６と、により構成されている。また、上記の実施形態と同様に、取水部２６には通水部２７が設けられ、底壁部２３には通気部２４が設けられている。そして、栽培容器１２１の側壁部１２２には、栽培容器１２１の内側に向かって落ち込むステップ１２３が設けられている。
【００４４】
基礎体９１は、底壁部９３と、底壁部９３の周縁から上方に向かって設けられる筒状の側壁部９２と、により構成されている。側壁部９２は液体容器１１の側方を取り囲むように形成されている。側壁部９２の上端で栽培容器１２１を支持するために、側壁部９２の上端の内径を、栽培容器１２１の側壁部１２２の外径のうち、ステップ１２３の下側のものより大きく、かつ、ステップ１２３の上側のものより小さくしている。また、基礎体９１は、開口からなる給水路３１（＝給水口３２、排水口３３）と、スリットからなる窓部４１と、を備えている。なお、基礎体９１は、底壁部９３を有さないものであってもよい。
【００４５】
液体容器１１は、上記の実施形態のものと同様であり、基礎体９１で栽培容器１２１を支持した状態において、基礎体９１内または基礎体９１と栽培容器１２１とにより形成される空間内に配される。
【００４６】
基礎体９１の側壁部９２または栽培容器１２１の側壁部１２２は、液体容器１１に光が当たらないようにするため、その一部に不透光部材を採用してもよい。
【００４７】
以下、本実施形態の養液栽培用容器の使用について、説明する。まず、基礎体９１内に液体容器１１を収容する。そして、栽培容器１２１を、その取水部２６を液体容器１１の容器内に挿入しつつ、ステップ１２３の水平部分を基礎体９１の側壁部９２の上端に載置して使用する。なお、これら以外の使用については、上記の実施形態のものと同様である。
【００４８】
これによると、基礎体９１を固定したまま、栽培容器１２１を水平方向に回動させることができる。そのため、給水口３２や窓部４１の位置を室内に向けたまま、植物に日光が当たる部分を栽培容器１２１の回動により容易に変更することができる。
【００４９】
なお、本実施形態において、栽培容器１２１は回動しない構成であってもよい。
【符号の説明】
【００５０】
１１    液体容器
２１    植物容器
２２    側壁部
２３    底壁部
２４    通気部
２６    取水部
２７    通水部
３１    給水路
３２    給水口
３３    排水口
４１    窓部
４２    固定手段
４３    突出部
５１    培養液
５２    培地
６１    蓋部
６２    蓋本体
６３    凹部
６４    植物設置部
９１    基礎体
９２    側壁部
１２１    栽培容器
１２２    側壁部
１２３    ステップ
Ｐ    植物
【図１】
2013223472.tif 000003
【図２】
2013223472.tif 000004
【図３】
2013223472.tif 000005
【図４】
2013223472.tif 000006
【図５】
2013223472.tif 000007
【図６】
2013223472.tif 000008
【図７】
2013223472.tif 000009
【図８】
2013223472.tif 000010